(57)【要約】      （修正有）【課題】剣道の防具の面にマスクが適切に保持されて呼吸困難や熱中症の問題を避けることができる剣道飛沫防止用マスクホルダーを提供する。【解決手段】剣道に用いられる防具の面に内側から嵌められて使用者の口元に面して保持されるように設けられたシェル１１と、シェルの左右に面金に嵌るように設けられたフック部１３と、シェルに呼吸のために設けられた通気口１２とを備えると共に、シェルの内側に、不織布マスクを保持する保持手段として不織布に付着する面ファスナーが取り付けられている。【選択図】図１
0003233543.tif 000002
【実用新案登録請求の範囲】
【請求項１】
剣道に用いられる防具の面に内側から嵌められて使用者の口元に面して保持されるように設けられたシェルと、該シェルの左右に面金に嵌るように設けられたフック部と、前記シェルに呼吸のために設けられた通気口とを備えると共に、前記シェルの内側にマスクを保持する保持手段が設けられていることを特徴とする剣道飛沫防止用マスクホルダー。
【請求項２】
前記マスクが不織布マスクであることを特徴とする請求項１記載の剣道飛沫防止用マスクホルダー。
【請求項３】
前記不織布マスクを保持する保持手段として、不織布に付着する面ファスナーが、前記シェルの内側に取り付けられていることを特徴とする請求項２記載の剣道飛沫防止用マスクホルダー。
【請求項４】
前記フック部が面金に嵌って保持されるように、前記シェルがバネ性を有することを特徴とする請求項１〜３のいずれかに記載の剣道飛沫防止用マスクホルダー。
【請求項５】
前記シェルの上部が、顔面間近まで覆っている構造であって、前記シェルの下部が、前記シェルの上部よりも顔面から離れている構造であることを特徴とする請求項１〜４のいずれかに記載の剣道飛沫防止用マスクホルダー。
【考案の詳細な説明】
【技術分野】
【０００１】
この考案に係る物品は、剣道飛沫防止用マスクホルダーであり、剣道に用いられる防具の面に、内側から嵌められて使用される。
【背景技術】
【０００２】
剣道における対人稽古や試合中に互いに気勢を上げるため飛沫の拡散が問題となっている。近時、新型コロナウィルス騒動により、剣道は対人であり声を張り合うことにより感染のリスクが大きいため、他のスポーツと比較し、今まで通りの練習がなかなか再開できない状態が続いていた。面マスクの着用によって練習再開の指針が示されたが、既存の方法では、空気が通らず、呼吸困難や熱中症の問題が避けられない事態となっている。
【０００３】
不織布マスクと面ファスナーに関する発明として、目元を保護するシールド（特許文献１参照）が提案されている。
【先行技術文献】
【特許文献】
【０００４】
【特許文献１】特開２０１５−１４２６５４号公報（第１頁）
【考案の概要】
【考案が解決しようとする課題】
【０００５】
剣道飛沫防止用マスクホルダーに関して解決しようとする問題点は、剣道の稽古や試合中において、既存の不織布の使い捨てマスクでは、空気が通らず、呼吸困難や熱中症の問題が避けられない事態となっている。
【０００６】
そこで、本考案の目的は、剣道の防具の面にマスクが適切に保持されて呼吸困難や熱中症の問題を避けることができる剣道飛沫防止用マスクホルダーを提供することにある。
【課題を解決するための手段】
【０００７】
本考案は、上記目的を達成するために次の構成を備える。
本考案に係る剣道飛沫防止用マスクホルダーの一形態によれば、剣道に用いられる防具の面に内側から嵌められて使用者の口元に面して保持されるように設けられたシェルと、該シェルの左右に面金に嵌るように設けられたフック部と、前記シェルに呼吸のために設けられた通気口とを備えると共に、前記シェルの内側にマスクを保持する保持手段が設けられていることを特徴とする剣道飛沫防止用マスクホルダー。
【０００８】
また、本考案に係る剣道飛沫防止用マスクホルダーの一形態によれば、前記マスクが不織布マスクであることを特徴とすることができる。
【０００９】
また、本考案に係る剣道飛沫防止用マスクホルダーの一形態によれば、前記不織布マスクを保持する保持手段として、不織布に付着する面ファスナーが、前記シェルの内側に取り付けられていることを特徴とすることができる。
【００１０】
また、本考案に係る剣道飛沫防止用マスクホルダーの一形態によれば、前記フック部が面金に嵌って保持されるように、前記シェルがバネ性を有することを特徴とすることができる。
【００１１】
また、本考案に係る剣道飛沫防止用マスクホルダーの一形態によれば、前記シェルの上部が、顔面間近まで覆っている構造であって、前記シェルの下部が、前記シェルの上部よりも顔面から離れている構造であることを特徴とすることができる。
【考案の効果】
【００１２】
本考案の剣道飛沫防止用マスクホルダーによれば、剣道の防具の面にマスクが適切に保持されて呼吸困難や熱中症の問題を避けることができるという特別有利な効果を奏する。
【図面の簡単な説明】
【００１３】
【図１】本考案に係る剣道飛沫防止用マスクホルダーの形態例の正面側の斜視図である。
【図２】図１の形態例の背面側の斜視図である。
【図３】本考案に係る剣道飛沫防止用マスクホルダーの形態例の正面図である。
【図４】図３の形態例の背面図である。
【図５】図３の形態例の平面図である。
【図６】図３の形態例の底面図である。
【図７】図３の形態例の右側面図である。
【図８】図３の形態例の正面図中央縦断面図である。
【図９】本考案に係る剣道飛沫防止用マスクホルダーの使用状態を示す写真１である。
【図１０】本考案に係る剣道飛沫防止用マスクホルダーの使用状態を示す写真２である。
【図１１】本考案に係る剣道飛沫防止用マスクホルダーの使用状態を示す写真３である。
【図１２】本考案に係る剣道飛沫防止用マスクホルダーの使用状態を示す写真４である。
【考案を実施するための形態】
【００１４】
以下、本考案に係る剣道飛沫防止用マスクホルダーの形態例について、添付図面（図１〜１２）に基づいて詳細に説明する。
【００１５】
この剣道飛沫防止用マスクホルダー１０は、剣道に用いられる防具の面２０に、内側から嵌められて使用される。この剣道飛沫防止用マスクホルダー１０を介してマスク（例えば、不織布マスク３０）が装着される形態例について、以下に説明する。
【００１６】
先ず、使用状態を示す写真１（図９）などに示すように、本考案品は、左右に形成された凹形状のフック部１３を、それぞれ面金２１に掛けるように嵌めることで、防具の面２０に内側から装着できる形態になっている。
【００１７】
そして、使用状態を示す写真２（剣道防具の面２０の内側を写した写真：図１０）に示すように、本考案品の形態例では、防具の面２０の内側に固定されたシェル１１の背面に設けられたマスク保持手段の形態例である面ファスナー（断片的に貼付されている帯状の部材）１５が露出した状態となっている。なお、図１〜８の図面では、マスク保持手段（面ファスナー１５）が取り付けられていない剣道飛沫防止用マスクホルダー自体（シェル１１）の形態を示しており、このマスク保持手段としては、この面ファスナー１５に限定されるものではなく、例えば、両面テープなど、他の既知の保持手段や固定手段を適宜選択的に利用することが可能である。
【００１８】
次に、使用状態を示す写真３（図１１）及び使用状態を示す写真４（剣道防具の面２０の内側を写した写真：図１２）に示すように、本考案品の背面に設けられたマスク保持手段の形態例である面ファスナー１５に、マスク（不織布マスク３０）を押し当てることで、マスク（不織布マスク３０）が面ファスナー１５に保持されて装着状態となる。本形態例では、不織布の使い捨てマスク（不織布マスク３０）の場合、その不織布が面ファスナーに付着されて保持され易い性質を利用し、マスクが保持される構成になっている。
【００１９】
また、本考案品を特定する図３〜８の図面では、点線で、呼吸のための通気口１２となる開口を示しているが、正面側の斜視図（図１）や背面側の斜視図（図２）に示す形態例のように、大きな二つの孔であって角張った形状に設けることに限定されるものではなく、例えば、複数の円形の孔を設けるなど、その通気口１２の形態は適宜選択的に設定できるものである。なお、正面側の斜視図（図１）や背面側の斜視図（図２）では、一部に設計に用いられた線が表されている。
【００２０】
以下、本考案品の効果について説明する。
剣道における対人稽古や試合中に互いに気勢を上げるため飛沫の拡散が問題となっている。近時、新型コロナウィルス騒動により、剣道は対人であり声を張り合うことにより感染のリスクが大きいため、他のスポーツと比較し、今まで通りの練習がなかなか再開できない状態が続いていた。面マスクの着用によって練習再開の指針が示されたが、既存の方法では、空気が通らず、呼吸困難や熱中症の問題が避けられない事態となっている。
【００２１】
この問題に対し、本考案品の優れている点について列挙する。呼吸のための通気口１２となる開口を示しこれにより、呼吸困難になり、熱中症になる危険性を大幅に低減できる。前面の大きな開口部と下部（シェル１１の下部）の開口部により従来よりも容易に呼吸ができる。
【００２２】
防具の面２０への着脱は、シェル１１自体のばね性を利用し、面金２１へのフック部１３によるフック固定により簡単である。
【００２３】
市販のマスク（不織布マスク３０）を使用していることで、使用後の処理が簡単なため衛生的かつ汎用性がある。上部シェル（シェル１１の上部）が顔面間近まで覆っている構造であるため従来のものより飛沫を抑えることができる。上部シェルの部分へ鼻ワイヤー付きの市販マスクを装着することでさらに密閉性を保てる。
【００２４】
マスク（不織布マスク３０）の装着は例えば面ファスナー１５での固定ができるためマスクの着脱も簡単である。
【００２５】
本体材質は、例えば、軟質樹脂などの軟質材とした場合、上部シェルの部分が各顔面形状にあわせて追加加工（一般ハサミによる裁断）が容易である。
【００２６】
さらに、運動用マスク（不織布のフィルターの目の粗いものや、層構造を単純化）を装着することにより効果倍増が可能である。
【符号の説明】
【００２７】
１０  剣道飛沫防止用マスクホルダー
１１  シェル
１２  通気口
１３  フック部
１５  面ファスナー
２０  防具の面
２１  面金
３０  不織布マスク
【図１】
0003233543.tif 000003
【図２】
0003233543.tif 000004
【図３】
0003233543.tif 000005
【図４】
0003233543.tif 000006
【図５】
0003233543.tif 000007
【図６】
0003233543.tif 000008
【図７】
0003233543.tif 000009
【図８】
0003233543.tif 000010
【図９】
0003233543.tif 000011
【図１０】
0003233543.tif 000012
【図１１】
0003233543.tif 000013
【図１２】
0003233543.tif 000014